(57)【特許請求の範囲】
【請求項１】
一対のレンズを備えるフロント部と、蝶番で回動自在に連結されるテンプルとを備えるとともに、前記フロント部の両端部と前記蝶番とが、超弾性材料製の接続部材によって接続されている樹脂製の眼鏡フレームであって、
前記蝶番は、前記接続部材を挿入するために、一方の側に挿入孔を有する筒状部を備え、  前記テンプルは芯金を備えて、前記蝶番の他方の側が前記芯金に接続されるとともに、前記テンプルを開いたときに前記筒状部の全長が前記芯金に当接して位置することを特徴とする眼鏡フレーム。
【請求項２】
前記接続部材が、棒状の主部の一端に、前記主部の断面よりも大きな断面を有する頭部を備えてなり、前記頭部が前記フロント部の前記端部に埋め込まれて接続されることを特徴とする請求項１に記載の眼鏡フレーム。
【請求項３】
前記接続部材が、前記頭部の近傍に、前記主部の断面よりも大きな断面を有する鍔部を備えることを特徴とする請求項２に記載の眼鏡フレーム。
【請求項４】
前記挿入孔の大きさは、入口近傍が大きく形成され、外力を受けたときに、前記接続部材が滑らかに変形して局部的に大きな力を受けないことを特徴とする請求項１乃至３の何れか１項に記載の眼鏡フレーム。
【請求項５】
前記フロント部が、フロント枠の裏側にレンズ枠を備え、前記レンズが前記レンズ枠に取り付けられていることを特徴とする請求項１乃至４の何れか１項に記載の眼鏡フレーム。
【発明の詳細な説明】
【技術分野】
【０００１】
本発明は眼鏡フレームに関し、特に、形状記憶合金等の超弾性材料を用いてソフトな装着感が得られる樹脂製の眼鏡フレームに関する。
【背景技術】
【０００２】
一般的な眼鏡フレームは、一対のレンズを備えるフロント部の両端部に、蝶番で連結されたテンプルを備えている。フロント部に環状のリムを備えるフルリムタイプや半環状のリムを備えるハーフリムタイプの眼鏡フレームにあっては、左右のリムが中央でブリッジにより連結され、両リムの端部にはヨロイが設けられ、各ヨロイに蝶番を介してテンプルが連結される。
【０００３】
近年、ソフトな装着感を得るために、眼鏡フレームの素材として超弾性材料が使用されている。例えば、特許文献１にはＮｉ、Ｔｉ、Ｃｏ三元系の超弾性材料、及びＮｉ、Ｔｉ二元系の超弾性材料をブリッジ及びテンプルに用いる発明が記載され、冷間加工及び成形加工後の形状記憶熱処理に関する研究が記載されている。また、特許文献２には、フロントリムの合成樹脂材料に関する発明が記載されており、ポリアミド系の超弾性樹脂を用いることが記載されている。
【０００４】
「超弾性」は、力を加えると大きなひずみで変形し、その力を除くと元に戻る性質を示す用語として用いられている。通常の金属では０．５％以下のひずみでも回復することができないので、本明細書では、１．０％以上のひずみが完全に回復する材料を「超弾性材料」と称することとし、これには金属材料及び樹脂材料が含まれることとする。
【０００５】
超弾性材料を使用した眼鏡フレームは、従来の材料と比べて大きく曲げることができる弾性を備え、使用者に「しなやかな感じ」を与えることができる。そして、ソフトな装着感を与えることができる。しかしながら、従来の眼鏡フレームにおいては、ブリッジやテンプルの素材全体に超弾性材料を使用しているために、使用者の頭にしっかりと装着させることが難しいという問題がある。すなわち、素材がしなやかに変形するために、装着された眼鏡フレームが時間の経過とともに前へずり落ちてしまうのである。また、眼鏡フレームの掛け外しにおいて無意識に大きな力を掛けた場合や、不慮の衝突事故等によって、眼鏡フレームを大きく変形させてしまうことも少なくない。
【先行技術文献】
【特許文献】
【０００６】
【特許文献１】特開２００２−１８２１６２号公報
【特許文献２】特開２０１０−８５８９６号公報
【発明の概要】
【発明が解決しようとする課題】
【０００７】
この発明が解決しようとする課題は、一対のレンズを備えるフロント部の両端部に、蝶番で連結されたテンプルを備えてなる樹脂製の眼鏡フレームであって、超弾性材料を使用することによりソフトな装着感が得られ、使用者の頭にしっかりと装着され、時間が経過しても前へずり落ちることのない眼鏡フレームを提供することである。また、掛け外し時の無意識の力や事故によっても、変形することが少ない眼鏡フレームを提供することである。
【課題を解決するための手段】
【０００８】
本発明の請求項１に係る眼鏡フレームは、一対のレンズを備えるフロント部と、蝶番で回動自在に連結されるテンプルとを備えるとともに、前記フロント部の両端部と前記蝶番とが、超弾性材料製の接続部材によって接続されている樹脂製の眼鏡フレームであって、前記蝶番は、前記接続部材を挿入するために、一方の側に挿入孔を有する筒状部を備え、前記テンプルは芯金を備えて、前記蝶番の他方の側が前記芯金に接続されるとともに、前記テンプルを開いたときに前記筒状部の全長が前記芯金に当接して位置する手段を採用している。
【０００９】
また、本発明の請求項２に係る眼鏡フレームは、請求項１に記載の眼鏡フレームにおいて、前記接続部材が、棒状の主部の一端に、前記主部の断面よりも大きな断面を有する頭部を備えてなり、前記頭部が前記フロント部の前記端部に埋め込まれて接続される手段を採用している。また、本発明の請求項３に係る眼鏡フレームは、請求項２に記載の眼鏡フレームにおいて、前記接続部材が、前記頭部の近傍に、前記主部の断面よりも大きな断面を有する鍔部を備える手段を採用している。
【００１０】
また、本発明の請求項４に係る眼鏡フレームは、請求項１乃至３の何れか１項に記載の眼鏡フレームにおいて、前記挿入孔の大きさは、入口近傍が大きく形成され、外力を受けたときに、前記接続部材が滑らかに変形して局部的に大きな力を受けない手段を採用している。さらに、本発明の請求項５に係る眼鏡フレームは、請求項１乃至４の何れか１項に記載の眼鏡フレームにおいて、前記フロント部が、フロント枠の裏側にレンズ枠を備え、前記レンズが前記レンズ枠に取り付けられている手段を採用している。
【発明の効果】
【００１１】
本発明の眼鏡フレームは、上記の手段を採用したことによって、両テンプルを接続部分において自由な方向にしなやかに曲げることができる。或いは、両テンプルを接続部分において捩じることができる。したがって超弾性材料特有のソフトな装着感を得ることができる。また、使用される超弾性材料が、フロント部とテンプルとを接続するごく一部分に限定されていることにより、使用者の頭部にしっかりと装着され、時間が経過しても前へずり落ちることのない眼鏡フレームとすることができる。また、掛け外しにおける無意識の力や事故によっても、変形することが少ない眼鏡フレームとすることができる。
【図面の簡単な説明】
【００１２】
【図１】本発明の眼鏡フレームの一例を示す概略平面図である。
【図２】図１の眼鏡フレームの概略正面図である。
【図３】図１の眼鏡フレームの概略側面図である。
【図４】図１の眼鏡フレームの枠体を示す概略図である。
【図５】図１の眼鏡フレームで使用する接続部材、蝶番及び芯金とテンプルとの関係で示し、（１）は概略平面図、（２）は概略側面図である。
【図６】図１の眼鏡フレームの接続部分を拡大して示し、（１）はテンプルを開いた状態であり、（２）はテンプルを閉じた状態である。
【図７】図１の眼鏡フレームの接続部材、蝶番及び芯金を示す概略図である。
【図８】図１の眼鏡フレームのフロント部と枠体との関係を示す概略斜視図である。
【発明を実施するための形態】
【００１３】
本発明の眼鏡フレームは樹脂製の眼鏡フレームに限定されるが、通常のフルリムタイプ及びハーフリムタイプのほか、図１〜図４に示すような特殊な構造の眼鏡フレーム１０に適用することもできる。すなわち、眼鏡フレーム１０は、フルリムタイプに良く似たフロント部３０を備え、一対のフロント枠３２がブリッジ３１で接続されている。しかしながら、一対のレンズ４０は、図４に示す枠体７０に取付けられ、この枠体７０がフロント部３０の裏側に取付けられている。
【００１４】
図１は眼鏡フレーム１０の概略平面図であり、図２は眼鏡フレーム１０の概略正面図であり、図３は眼鏡フレーム１０の概略側面図である。眼鏡フレーム１０は、フロント部３０とテンプル５０とを備えている。そして、フロント部３０は、枠体７０を介して一対のレンズ４０を備えている。また、テンプル５０は、フロント部３０に対して、蝶番６０で回動自在に連結されている。そして、フロント部３０の両端部３３と蝶番６０とが、超弾性材料製の接続部材２０によって接続されている。フロント部３０と接続部材２０との接続、及び蝶番６０と接続部材２０との接続には、螺合、かしめ、埋め込み等の一般的な方法を適宜採用することができる。
【００１５】
図５は、接続部材２０の一端がフロント部３０の端部３３に埋め込まれていること、及びテンプル５０が芯金５１を備えていることを示し、（１）は概略平面図、（２）は概略側面図である。そして、接続部材２０と蝶番６０とが接続され、蝶番６０と芯金５１とが接続されていることを示している。図６は、フロント部３０とテンプル５０との接続部分を拡大して示し、（１）はテンプルを開いた状態であり、（２）はテンプルを閉じた状態である。図７は、接続部材２０、蝶番６０及び芯金５１を組み立てた状態を示している。
【００１６】
接続部材２０は、棒状をなす主部２１の一端に、主部２１の断面よりも大きな断面を有する頭部２２及び鍔部２３を備えている。そして、主部２１の素材に超弾性材料が使用されている。超弾性材料としては、特許文献１に記載された金属の超弾性材料や、特許文献２に記載された樹脂の超弾性材料など、既知の素材を使用することができる。何れの場合も、通常の使用温度において超弾性を示す材料が選定され、例えば、変態温度が−２０〜０℃の超弾性合金を使用することができる。
【００１７】
主部２１の断面形状はどの様な形状でも良いが、円形とすることにより、外力を受ける方向が限定されず、自由な方向に変形することが可能となるので好ましい。頭部２２及び鍔部２３の素材は限定されないが、例えば、金属製の主部２１に対して、金属製で一体に形成された頭部２２及び鍔部２３をかしめて取付けることができる。そして、図５及び図６に示すように、樹脂製のフロント部３０の端部３３に、頭部２２を埋め込むことにより、フロント部３０と接続部材２０とを接続することができる。
【００１８】
蝶番６０は、図７に示すように、一方の側に挿入孔６２を有する筒状部６１を備え、接続部材２０の主部２１の他端側を挿入孔６２に挿入することができる。挿入後、主部２１の他端をスポット的に融着することにより、接続部材２０と蝶番６０とを接続することができる。主部２１の断面形状及び大きさは一定とすることが好ましいが、挿入孔６２の大きさは、入口近傍を大きく形成することが好ましい。接続部材２０が外力を受けたときに、滑らかに変形して局部的に大きな力を受けないようにするためである。
【００１９】
また、蝶番６０及び芯金５１は適当な金属材料を選定することが可能であり、融着や螺合などの方法によって接続することができる。このように、眼鏡フレーム１０は、図１〜図３に示すように、装着時に接続部材２０が僅かに見える程度で、通常の眼鏡フレームと同様な外観を呈することになる。
【００２０】
本発明の眼鏡フレーム１０は、以上のような構成としたことにより超弾性材料の機能を十分に発揮させることが可能であり、しなやかな感じを与えることができる。そして、使用者にソフトな装着感を与えることができる。また、眼鏡フレーム１０は超弾性材料がフロント部３０の端部３３と蝶番６０との接続部分に限定されて使用されているので、使用者の頭にしっかりと装着させることができ、時間が経過しても前へずり落ちることがない。また、掛け外しにおける無意識の力や事故によっても、変形することが少ない。
【００２１】
眼鏡フレーム１０は、本発明の幅広い応用を示すために、実施の形態として特殊な構造で示しているので、これについて説明する。フロント部３０は、フロント枠３２の裏側に図４に示すような枠体７０を備えている。そして、一対のレンズ４０は、レンズ枠７２に取付けられている。また、ノーズパッド８０も、レンズ枠７２に取付けられている。そして、その中央部７１をフロント部３０のブリッジ３１に取付けることによって、フロント部３０が一対のレンズ４０を備えることになる。
【００２２】
フロント部３０に枠体７０を取付ける具体例は、図８に示されている。フロント部３０は、ブリッジ３１の裏側に凹部３５が形成されている。また、枠体７０は、中央部７１に凹部３５に対応するように凸部７５が形成されている。そして、凸部７５を凹部３５に挿入し、ねじ７９によって固定することができる。
【００２３】
このように枠体７０を使用すると、レンズ４０とレンズ枠７２との接合部を短くして、レンズ４０とレンズ枠７２との精密加工の作業量を低減し、レンズ４０の取り付け作業を容易にすることができる。また、その外観を、眼鏡フレーム１０のようにフルリムタイプに見せ掛けることも、或いはハーフリムタイプに見せ掛けることも可能である。そして、ハイカーブなレンズを用いることができるので多彩なデザインを施すことができる。
【符号の説明】
【００２４】
１０    眼鏡フレーム
２０    接続部材
２１    主部
２２    頭部
３０    フロント部
３２    フロント枠
３３    端部
４０    レンズ
５０    テンプル
５１    芯金
６０    蝶番
６１    筒状部
６２    挿入孔
７２    レンズ枠
【図１】
0005717435.tif 000002
【図２】
0005717435.tif 000003
【図３】
0005717435.tif 000004
【図４】
0005717435.tif 000005
【図５】
0005717435.tif 000006
【図６】
0005717435.tif 000007
【図７】
0005717435.tif 000008
【図８】
0005717435.tif 000009